(57)【要約】【課題】柔らかい土壌上でも容易に移動させることができる土壌の加熱消毒装置を提供する。【解決手段】圃場の土壌を加熱消毒するための加熱流体が内部を流れ、複数の流出穴１ａ，１ａ…が形成された供給管１およびこの供給管１内から前記流出穴１ａ，１ａ…を経て流出した加熱流体を圃場の土壌内に導く複数の流体導入部材２を有する本体３と、この本体３に連結されるワイヤー部材４と、このワイヤー部材４を巻き取るための巻き取り装置とを備え、前記巻き取り装置によりワイヤー部材４を巻き取ることによって前記本体３を移動させるようにしてある土壌の加熱消毒装置Ｄであって、前記ワイヤー部材４の一端部が二股となっており、この２つの先端部４ａ，４ａが前記本体３の左右対称の位置に連結され、また、前記本体３の底部にソリ面部６が形成されている。【選択図】      図１
2004159853.tif 000002
【特許請求の範囲】
【請求項１】
圃場の土壌を加熱消毒するための加熱流体が内部を流れ、複数の流出穴が形成された供給管およびこの供給管内から前記流出穴を経て流出した加熱流体を圃場の土壌内に導く複数の流体導入部材を有する本体と、この本体に連結されるワイヤー部材と、このワイヤー部材を巻き取るための巻き取り装置とを備え、前記巻き取り装置によりワイヤー部材を巻き取ることによって前記本体を移動させるようにしてある土壌の加熱消毒装置であって、前記ワイヤー部材の一端部が二股となっており、この２つの先端部が前記本体の左右対称の位置に連結され、また、前記本体の底部にソリ面部が形成されていることを特徴とする土壌の加熱消毒装置。
【請求項２】
前記本体の上側に、本体よりも前方に突出するガイドが設けられている請求項１に記載の土壌の加熱消毒装置。
【発明の詳細な説明】
【０００１】
【発明の属する技術分野】
本発明は、土壌の加熱消毒装置に関するものである。
【０００２】
【従来の技術】
【特許文献１】特開２００１−１６１７９４号公報
従来の土壌の加熱消毒装置として、上記特許文献１に示すように、土壌の表面部に水平状に配置される分配管を設け、該分配管に土壌内に向かって突出する多数の注入管を長手方向に所定の間隔をおいて連通接続するとともに、各注入管の下部に吐出口を形成し、前記分配管に熱湯を供給する加熱流体供給装置と、該分配管をその長手方向と直行する方向に移動させる移動装置とを設けたものがある。
【０００３】
【発明が解決しようとする課題】
しかし、上記の構成からなる土壌の加熱消毒装置では、前記分配管を車輪により支持させるようにしてあることから、前記土壌が柔らかいときには前記車輪が土の中に埋まってしまい、移動が困難になるという問題があった。
【０００４】
本発明は、上記の事柄に留意してなされたものであって、その目的は、柔らかい土壌上でも容易に移動させることができる土壌の加熱消毒装置を提供することである。
【０００５】
【課題を解決するための手段】
上記の目的を達成するために、本発明の土壌の加熱消毒装置は、圃場の土壌を加熱消毒するための加熱流体が内部を流れ、複数の流出穴が形成された供給管およびこの供給管内から前記流出穴を経て流出した加熱流体を圃場の土壌内に導く複数の流体導入部材を有する本体と、この本体に連結されるワイヤー部材と、このワイヤー部材を巻き取るための巻き取り装置とを備え、前記巻き取り装置によりワイヤー部材を巻き取ることによって前記本体を移動させるようにしてある土壌の加熱消毒装置であって、前記ワイヤー部材の一端部が二股となっており、この２つの先端部が前記本体の左右対称の位置に連結され、また、前記本体の底部にソリ面部が形成されている（請求項１）。
【０００６】
上記の構成からなる土壌の加熱消毒装置では、柔らかい土壌上でも容易に移動させることができる土壌の加熱消毒装置を提供することが可能となる。
【０００７】
また、前記本体の上側に、本体よりも前方に突出するガイドが設けられているとしてもよい（請求項２）。この場合には、保温シートで表面が覆われている状態の土壌に対する熱湯の供給に特に適したものとなる。
【０００８】
【発明の実施の形態】
以下、本発明の実施の形態を図面に基づいて説明する。
図１は、本発明の第一実施例に係る土壌の加熱消毒装置Ｄの構成を概略的に示す平面図、図２は、前記加熱消毒装置Ｄの構成を概略的に示す右半分の部分切断縦断面図、図３（Ａ）は、図２のＡ−Ａ線断面図、図３（Ｂ）は、図２のＢ−Ｂ線断面図、図３（Ｃ）は、図２のＣ−Ｃ線断面図、図４は、供給管の構成を概略的に示す縦断面図である。
加熱消毒装置Ｄは、圃場の土壌を加熱消毒するための加熱流体が内部を流れ、複数の流出穴１ａ，１ａ…が形成された供給管１およびこの供給管１内から前記流出穴１ａ，１ａ…を経て流出した加熱流体を圃場の土壌内に導く複数の流体導入部材２を有する本体３と、この本体３に連結されるワイヤー部材４と、このワイヤー部材４を巻き取るための巻き取り装置（図示せず）とを備え、前記巻き取り装置によりワイヤー部材４を巻き取ることによって前記本体３を移動させるようにしてある。
【０００９】
前記供給管１は、ループ状で、かつ平面視がほぼ矩形状となるように形成された熱湯循環部５ａと、この熱湯循環部５ａの前方中央部分と後方中央部分とにかけて連通する状態で接続される熱湯導入部５ｂとを有しており、この熱湯導入部５ｂに、図示しない外部の熱湯源からの熱湯を供給する熱湯供給ホースが接続される。
【００１０】
また、前記熱湯循環部５ａの後方部分に、前記流出穴１ａ，１ａ…が適宜の間隔をあけて設けられる。
【００１１】
前記流体導入部材２は、前記供給管１の熱湯循環部５ａの各流出穴１ａに対応する位置に連設されており、ほぼ筒状（円筒状）をしている。
【００１２】
前記本体３は、その前後方向（前進方向）における長さよりも、左右方向（前進方向に直交する方向）における幅のほうが大きくなるように構成されており、その下側には、ソリ面部６を底部に有するソリ体７が固定されている。
【００１３】
前記ソリ体７は、本体３の中央部と左右両端部との３箇所にそれぞれ設けられている。そして、本体３の中央部に設けられたソリ体７は、本体３の横幅全体の約１／３〜１／２程度の幅を有しており、本体３の左右両端部に設けられたソリ体７はそれぞれ、本体３の横幅全体の約１／６〜１／４程度の幅を有している。
【００１４】
前記ソリ面部６は、その前部に前側ほど高くなる若干急な傾斜がつけられた非接地部分６ａが設けられているとともに、その中央部および後部には、後側ほど低くなり、前部の傾斜に比べて緩やかな傾斜がつけられた接地部分６ｂが設けられている。そして、このような構成により、前記本体３を土壌上に載置した状態および本体３を前側に移動させている状態では、前記熱湯循環部５ａの後方部分が前方部分に比べて下がった状態となるのであり、これにより、熱湯循環部５ａ内の熱湯がその前方部分内に溜まりにくくなり、後方部分に設けられた複数の流出穴１ａ，１ａ…から土壌へと導入されやすくなっている。
【００１５】
前記ワイヤー部材４は、その一端部が二股となっており、この２つの先端部４ａ，４ａを前記本体３の左右対称の位置に連結するようにしてある。詳しくは、前記先端部４ａ，４ａをそれぞれ、前記本体３の中央部に設けられたソリ体７の左右両端の位置とほぼ同じ位置に連結するのであり、ワイヤー部材４の先端部４ａと本体３との連結には、前記ワイヤー部材４の先端部４を締結するための締結部としての環状部分８ａを有する連結部材８が用いられ、この連結部材８は、前記本体３の中央部に設けられたソリ体７の左右両端部に固定されている。
【００１６】
また、前記本体３の中央部に設けられたソリ体７の左右両端の付近の位置にはそれぞれ、本体３の進行方向を保ち、かつ斜行し始めた場合にはその修正機能を果たすことともなる板状部材９が設けられている。
【００１７】
前記板状部材９，９は、本体３の下側において土壌面に対して立つ状態（その厚み方向が水平方向となる状態）となるように設けられるのであり、また、本体３の前後方向（前進方向）を向くように配置されている。さらに、板状部材９，９は、前記ソリ体７のソリ面部６よりも下側に突出するように構成されている。
【００１８】
そして、上記の構成からなる加熱消毒装置Ｄを用いて圃場の土壌を加熱消毒するには、前記供給管１に熱湯を供給し続ける状態で、前記ワイヤー部材４を、進行方向上に配置した巻き取り装置により巻き取らせるだけでよく、これにより、圃場の土壌に対する熱湯の供給が行われ、加熱消毒（熱湯消毒）が完了することとなる。
【００１９】
上記の構成からなる加熱消毒装置Ｄでは、ソリ体７により本体３を支持させるようにしていることから、柔らかい土壌上でも容易に移動させることができ、小さい力で動かすことが可能となっている。
【００２０】
また、ソリ体７を本体３の全体にわたって設けるのではなく、本体３の中央部と左右両端部とのみに設け、それ以外の部分にはソリ体７を設けないようにしていることから、軽量化を図ることができ、取り扱いが簡単となる。
【００２１】
さらに、前記本体３に対して、その左右対称となる２点の位置にワイヤー部材４を連結し、これを牽引するようにしていることから、この牽引によって移動する加熱消毒装置Ｄは、斜行せずにほぼ真っ直ぐに所望の方向へと進むこととなり、その移動中に左右に振れたりすることもほとんどなく、左右に振れた場合でも、小さな振れにとどまることとなっている。
【００２２】
また、本体３の底側に突出する前記板状部材９，９を設けてあることから、加熱消毒装置Ｄ（本体３）が斜行し始めた場合には前記板状部材９，９がもつ修正機能が発揮されて軌道が修正されるとともに、加熱消毒装置Ｄ（本体３）のさらなる直進安定性が得られることとなっている。
【００２３】
また、構造がシンプルであることから、壊れたり、故障が生じたりしにくいだけでなく、低コストで製造することができ、加えて、シンプルな構造としたことに伴い、軽量化も図れることとなるため、作業者が加熱消毒装置Ｄの運搬を楽に行うことも可能となっている。
【００２４】
上記実施例では、図４に示すように、前記供給管１の熱湯循環部５ａの各流出穴１ａに対応する位置に筒状の前記流体導入部材２を連設しているが、このような構成に限るものではなく、例えば、前記流体導入部材２を設けずに、前記熱湯循環部５ａの適宜の複数箇所に、例えば穴のあいたなべ小ネジなどのネジ１０（図５参照）を取り付けることにより、熱湯循環部５ａの内外に通じる流出穴１ａを複数形成し、熱湯循環部５ａ内の熱湯を流出穴１ａ，１ａ…から圃場の土壌に向けて直接散水するようにしてもよい。ここで、前記流出穴１ａが前記熱湯循環部５ａに最初から設けられている場合には、前記ネジ１０を設け無くともよい。
【００２５】
また、熱湯循環部５ａに上述のように形成した流出穴１ａから直接熱湯を散水するという構成に加えて、図５に示すように、前記流出穴１ａに対応する位置（例えば、各流出穴１ａの下方）に、棒状（例えば、丸棒状）に形成した流体導入部材１１を配置し、熱湯循環部１ａの流出穴１ａから流出した熱湯が棒状の流体導入部材１１を伝って圃場の土壌内に供給されるようにしてもよい。この場合には、前記流体導入部材１１の先端が地中に突入するように構成することにより、棒状の流体導入部材１１を伝って圃場の土壌へと供給される熱湯が、土壌の内部にまで満遍なく浸透することとなり、その消毒効果がより高まることとなる。また、前記流体導入部材１１をパイプ状として、その内部に前記流出穴１ａから流出した熱湯を通すようにした場合には、そのパイプ状の流体導入部材の内部に土壌の土などの異物が詰まり、土壌に対する熱湯の供給量が低下するおそれがあるが、熱湯導入部材１１を棒状にした上記の構成では、熱湯の供給量をほぼ一定に保つことが可能となる。
【００２６】
ここで、前記土壌に撒いた熱湯の熱を逃がさないようにするために、ビニールシートなどの保温シートを前記土壌表面にかぶせてあることがあり、以下に、保温シート１２で表面が覆われている状態の土壌１３に対して熱湯の供給を行うのに適した加熱消毒装置について説明する。
【００２７】
図６（Ａ）および（Ｂ）は、本発明の第二実施例に係る土壌の加熱消毒装置Ｄ２  の構成を概略的に示す平面図および縦断面図である。なお、上記第一実施例に示したものと同一構造の部材については同じ符号を付し、その説明を省略する。
前記加熱消毒装置Ｄ２  は、第一実施例の加熱消毒装置Ｄに比して、前記本体３の上側（供給管１の上側）に、本体３よりも前方に突出するガイド１４が設けられている点で異なる。
【００２８】
前記ガイド１４は、例えば、丸棒を適宜に変形させてなり、前記供給管１の上部における平面視において前記本体３の中央部に設けられたソリ体７の左右両端部付近あるいは左右両端部よりも外側の位置に前後方向に向いた状態で固定される直線部分１４ａ，１４ａと、２つの直線部分１４ａ，１４ａの前端部にそれぞれ両端部が連なり、前記供給管１よりも前側に突出し、さらに、中央側ほど前方に位置するように湾曲した円弧状部分１４ｂとを有している。そして、前記ガイド１４は、前記本体３に対して容易に着脱できるように構成されている。
【００２９】
上記の構成からなる加熱消毒装置Ｄ２  では、表面に保温シート１２がかぶせられている土壌１３に熱湯を供給する場合には、前記ガイド１４を本体３に取り付けた状態とすればよく、このガイド１４のはたらきにより、加熱消毒装置Ｄ２  が前記保温シート１２と土壌１４との間を進むときに、前記保温シート１２が加熱消毒装置Ｄ２  の本体３などに絡むことが確実に防止されるのである。
【００３０】
なお、前記加熱消毒装置Ｄ２  を用いて前記保温シート１２がかぶせられていない土壌１３に熱湯を供給する場合には、前記ガイド１４を取り外すようにしてもよいし、取り外さずに前記ガイド１４を取り付けた状態のままとしておいてもよい。
【００３１】
【発明の効果】
以上説明したように、上記の構成からなる本発明によれば、柔らかい土壌上でも容易に移動させることができる土壌の加熱消毒装置を提供することが可能となる。
【図面の簡単な説明】
【図１】本発明の第一実施例に係る土壌の加熱消毒装置の構成を概略的に示す平面図である。
【図２】上記実施例の構成を概略的に示す右半分の部分切断縦断面図である。
【図３】（Ａ）は、図２のＡ−Ａ線断面図、（Ｂ）は、図２のＢ−Ｂ線断面図、（Ｃ）は、図２のＣ−Ｃ線断面図である。
【図４】上記実施例における供給管の構成を概略的に示す縦断面図である。
【図５】前記供給管および流体導入部材の別実施例の構成を概略的に示す縦断面図である。
【図６】（Ａ）および（Ｂ）は、本発明の第二実施例に係る土壌の加熱消毒装置の構成を概略的に示す平面図および縦断面図である。
【符号の説明】
１…供給管、１ａ…流出穴、２…流体導入部材、３…本体、４…ワイヤー部材、４ａ…先端部、６…ソリ面部、Ｄ…加熱消毒装置。
【図１】
2004159853.tif 000003
【図２】
2004159853.tif 000004
【図３】
2004159853.tif 000005
【図４】
2004159853.tif 000006
【図５】
2004159853.tif 000007
【図６】
2004159853.tif 000008